(57)【要約】【課題】複数の遊技台に対する機種管理をおこなう遊技台機種管理システム、遊技台機種管理方法および遊技台機種管理プログラムに関し、特に、遊技台による機種別情報を容易に参照できる遊技台機種管理システム、遊技台機種管理方法および遊技台機種管理プログラムを提供する。【解決手段】遊技台メーカーが設定する遊技台の機種名称を登録するメーカー機種設定登録部１４１と、遊技台を導入する遊技店が設定する遊技台の機種名称を登録する導入機種設定登録部１４２と、メーカー機種設定登録部１４１および導入機種設定登録部１４２により登録される特定情報を遊技台の機種合計情報として閲覧する遊技台機種別合計情報閲覧部１４４と、メーカー遊技台機種と導入機種とを選択可能な遊技台機種情報参照部１４５とを有する遊技台機種管理装置１４０を備える。【選択図】        図２
2005198983.tif 000002
【特許請求の範囲】
【請求項１】
遊技店内に配設される複数の遊技台に関する機種管理をおこなう遊技台機種管理装置を備えた遊技台機種管理システムであって、
前記遊技台機種管理装置は、
遊技台メーカーが設定する遊技台の機種名称を登録するメーカー機種名称登録手段と、
遊技台を導入する遊技店が設定する遊技台の機種名称を登録する導入機種名称登録手段と、
前記メーカー機種名称登録手段により登録されるメーカー遊技台機種と、前記導入機種名称登録手段により登録される遊技台導入機種に関するそれぞれの特定情報を遊技台の機種合計情報として閲覧する機種合計情報閲覧手段と、
を備えたことを特徴とする遊技台機種管理システム。
【請求項２】
前記メーカー遊技台機種と前記遊技台導入機種との特定情報を選択的に参照可能な参照機種選択手段をさらに備えたことを特徴とする請求項１に記載の遊技台機種管理システム。
【請求項３】
前記参照機種選択手段は、前記機種合計情報閲覧手段により閲覧される前記メーカー遊技台機種或は前記遊技台導入機種に関わる特定情報を任意に選択する機能をさらに備えることを特徴とする請求項１または２に記載の遊技台機種管理システム。
【請求項４】
前記メーカー機種名称登録手段により登録されたメーカー遊技台機種を記憶するメーカー遊技台機種データベースと、前記導入機種名称登録手段により登録された遊技台導入機種を記憶する遊技台導入機種データベースとをさらに備えることを特徴とする請求項１、２または３に記載の遊技台機種管理システム。
【請求項５】
遊技場内に配設される複数の遊技台に関する機種管理をおこなう遊技台機種管理方法であって、
前記遊技台機種管理方法は、
遊技台メーカーが設定する遊技台の機種名称を登録するメーカー機種名称登録工程と、
遊技台を導入する遊技店が設定する遊技台の機種名称を登録する導入機種名称登録工程と、
前記メーカー機種名称登録工程により登録されるメーカー遊技台機種と、前記導入機種名称登録工程により登録される遊技台導入機種に関するそれぞれの特定情報を遊技台の機種合計情報として閲覧する機種合計情報閲覧工程と、
前記メーカー遊技台機種と前記遊技台導入機種との特定情報を選択的に参照可能な参照機種選択工程と、
を含むことを特徴とする遊技台機種管理方法。
【請求項６】
遊技場内に配設される複数の遊技台に関する機種管理方法をコンピュータに実行させる遊技台機種管理プログラムであって、
前記遊技台機種管理プログラムは、
遊技台メーカーが設定する遊技台の機種名称を登録するメーカー機種名称登録手順と、
遊技台を導入する遊技店が設定する遊技台の機種名称を登録する導入機種名称登録手順と、
前記メーカー機種名称登録工程により登録されるメーカー遊技台機種と、前記導入機種名称登録手順により登録される遊技台導入機種に関するそれぞれの特定情報を遊技台の機種合計情報として閲覧する機種合計情報閲覧手順と、
前記メーカー遊技台機種と前記遊技台導入機種との特定情報を選択的に参照可能な参照機種選択手順と、
を含むことを特徴とする遊技台機種管理プログラム。
【発明の詳細な説明】
【技術分野】
【０００１】
本発明は、ホール内の複数の遊技台に対する機種管理をおこなう遊技台機種管理装置、遊技台機種管理方法および遊技台機種管理プログラムに関し、特に、任意の遊技台機種を選択するとともに、遊技台による機種別情報を容易に参照することができる遊技台機種管理システム、遊技台機種管理方法および遊技台機種管理プログラムに関する。
【背景技術】
【０００２】
従来より、パチンコ店などの遊技店（ホール）では、経営者などにより、ホール内に配置する複数の遊技台に関して、機種別の遊技台情報を統括的に管理する遊技台機種管理システムが構築されている。
【０００３】
かかる遊技台機種管理システムとしては、遊技ホールの事務所内に設けたターミナルコントローラのモニタ画面により、複数の機種別に分類された遊技台の特定情報を収集するとともに、各特定情報を参照することができる遊技台機種管理システムが知られている。
【０００４】
このような遊技台機種管理システムの場合、ホール内に設置された各遊技台による特定情報（アウト平均、セーフ平均、カード売上、出玉平均、始動数、特賞回数・・・）などを管理サーバが定期的に取得するとともに、モニタ画面に表示された遊技台の登録画面および遊技台の機種合計画面により管理をおこなうことができる。
【０００５】
また、この種の従来技術として、例えば、特許文献１には、複数の遊技台に係わる遊技台の履歴情報などを記憶手段に記憶しておき、これら複数の遊技台の状態が変動した際に、記憶した複数の遊技台に係わる情報を更新するように構成した遊技場の電子管理装置が開示されている。この従来技術の場合、複数の遊技台に係る遊技情報を、例えば、遊技台の機種毎に収集し管理することができる。また、遊技台の管理に係る遊技台の機種は、メーカからの導入時には、この遊技台の機種（名称）を一種類登録できるようになっている。
【０００６】
【特許文献１】特開平１１−７０２４８号公報
【発明の開示】
【発明が解決しようとする課題】
【０００７】
しかしながら、上述した従来の遊技台機種管理システムの場合には、以下のような問題がある。すなわち、現在では、大型化している遊技店が多く存在し、このような大型の遊技店ではフロア数の増加にともない、遊技台の機種数も増加する傾向となっている。
【０００８】
このため、従来の遊技台機種管理システムの場合、例えば、あるパチンコメーカーの遊技台（機種名を「○○物語」とする。）を１フロアに登録する場合には、「○○物語−１Ｆ」として登録し、この遊技台を２フロアに登録する場合には、「○○物語−２Ｆ」として登録している。ところが、この場合、「○○物語−１Ｆ」と「○○物語−２Ｆ」とは別々の遊技台機種として特定の情報を参照することはできるが、機種名「○○物語」として特定の情報を参照することができないという問題がある。
【０００９】
さらに、従来の遊技台機種管理システムの場合には、機種によるデータを参照する場合、ホール内に設置している遊技台の機種全体を表示するために、任意に特定の機種のみを選択して参照することができないという利便性の点で問題がある。また、パチンコメーカーから実際に導入する遊技台機種の登録は、一種類だけであり、従って、参照する機種データも一種類だけとなってしまうという問題がある。
【００１０】
この発明は、上記従来技術による課題を解決するためになされたものであり、メーカーによる遊技台機種と、ホールに実際に導入する遊技台機種を設定することにより、任意の遊技台機種を選択して機種別情報を参照することができる遊技台機種管理システム、遊技台機種管理方法および遊技台機種管理プログラムを提供することを目的とする。
【課題を解決するための手段】
【００１１】
上述した課題を解決し、目的を達成するために、請求項１に記載の発明は、遊技店内に配設される複数の遊技台に関する機種管理をおこなう遊技台機種管理装置を備えた遊技台機種管理システムであって、前記遊技台機種管理装置は、遊技台メーカーが設定する遊技台の機種名称を登録するメーカー機種名称登録手段と、遊技台を導入する遊技店が設定する遊技台の機種名称を登録する導入機種名称登録手段と、前記メーカー機種名称登録手段により登録されるメーカー遊技台機種と、前記導入機種名称登録手段により登録される遊技台導入機種に関するそれぞれの特定情報を遊技台の機種合計情報として閲覧する機種合計情報閲覧手段と、を備えたことを特徴とする。
【００１２】
また、請求項２に記載の発明は、請求項１に記載の発明において、前記メーカー遊技台機種と前記遊技台導入機種との特定情報を選択的に参照可能な参照機種選択手段をさらに備えたことを特徴とする。
【００１３】
また、請求項３に記載の発明は、請求項１または２に記載の発明において、前記参照機種選択手段は、前記機種合計情報閲覧手段により閲覧される前記メーカー遊技台機種或は前記遊技台導入機種に関わる特定情報を任意に選択する機能をさらに備えることを特徴とする。
【００１４】
また、請求項４に記載の発明は、前記メーカー機種名称登録手段により登録されたメーカー遊技台機種を記憶するメーカー遊技台機種データベースと、前記導入機種名称登録手段により登録された遊技台導入機種を記憶する遊技台導入機種データベースとをさらに備えることを特徴とする。
【００１５】
また、請求項５に記載の発明は、遊技場内に配設される複数の遊技台に関する機種管理をおこなう遊技台機種管理方法であって、前記遊技台機種管理方法は、遊技台メーカーが設定する遊技台の機種名称を登録するメーカー機種名称登録工程と、遊技台を導入する遊技店が設定する遊技台の機種名称を登録する導入機種名称登録工程と、前記メーカー機種名称登録工程により登録されるメーカー遊技台機種と、前記導入機種名称登録工程により登録される遊技台導入機種に関するそれぞれの特定情報を遊技台の機種合計情報として閲覧する機種合計情報閲覧工程と、前記メーカー遊技台機種と前記遊技台導入機種との特定情報を選択的に参照可能な参照機種選択工程と、を含むことを特徴とする。
【００１６】
また、請求項６に記載の発明は、遊技場内に配設される複数の遊技台に関する機種管理方法をコンピュータに実行させる遊技台機種管理プログラムであって、前記遊技台機種管理プログラムは、遊技台メーカーが設定する遊技台の機種名称を登録するメーカー機種名称登録手順と、遊技台を導入する遊技店が設定する遊技台の機種名称を登録する導入機種名称登録手順と、前記メーカー機種名称登録工程により登録されるメーカー遊技台機種と、前記導入機種名称登録手順により登録される遊技台導入機種に関するそれぞれの特定情報を遊技台の機種合計情報として閲覧する機種合計情報閲覧手順と、前記メーカー遊技台機種と前記遊技台導入機種との特定情報を選択的に参照可能な参照機種選択手順と、を含むことを特徴とする。
【発明の効果】
【００１７】
請求項１に記載の発明によれば、遊技台メーカーが設定する遊技台の機種名称をメーカー機種名称登録手段により登録し、遊技台を導入する遊技店が設定する遊技台の機種名称を導入機種名称登録手段により登録し、メーカー機種名称登録手段により登録されるメーカー遊技台機種と、導入機種名称登録手段により登録される遊技台導入機種に関するそれぞれの特定情報を機種合計情報閲覧手段により遊技台の機種合計情報として閲覧するので、任意の遊技台機種の参照を容易且つ確実におこなうことが可能となるうえ、機種別の遊技台情報を統括的に管理することができるという効果を奏する。また、各遊技店毎の経営スタイルに合わせた機種別の遊技台分析、遊技台機種の入れ替えなどの戦略立案を正確におこなうことができるという効果を奏する。
【００１８】
また、請求項２に記載の発明によれば、請求項１に記載の発明において、メーカー遊技台機種と遊技台導入機種との特定情報を選択的に参照可能な参照機種選択手段とをさらに備えるので、任意の遊技台機種のみの参照を選択により、別々ではなく、単独の遊技台機種として、参照することが可能となるうえ、機種別の遊技台による特定情報を統括的に管理することができるという効果を奏する。
【００１９】
また、請求項３に記載の発明は、請求項１または２に記載の発明において、参照機種選択手段は、前記機種合計情報閲覧手段により閲覧される前記メーカー遊技台機種或は前記遊技台導入機種に関わる特定情報を任意に選択する機能をさらに備えるので、任意の遊技台機種のみの参照を選択により、容易且つ確実におこなうことが可能となるうえ、機種別の遊技台情報を統括的に管理することができるという効果を奏する。
【００２０】
また、請求項４に記載の発明は、前記機種名称登録手段により登録されたメーカー遊技台機種を記憶するメーカー遊技台機種データベースと、前記導入機種登録手段により登録された遊技台導入機種を記憶する遊技台導入機種データベースとをさらに備えるので、登録されたメーカー遊技台機種および遊技台導入機種を確実に記憶し、格納することにより機種別の遊技台情報を統括的に管理することができるという効果を奏する。
【００２１】
請求項５に記載の発明によれば、遊技台メーカーが設定する遊技台の機種名称をメーカー機種名称登録工程により登録し、遊技台を導入する遊技店が設定する遊技台の機種名称を導入機種名称登録工程により登録し、メーカー機種名称登録工程により登録されるメーカー遊技台機種と、導入機種名称登録工程により登録される遊技台導入機種に関するそれぞれの特定情報を機種合計情報閲覧工程により遊技台の機種合計情報として閲覧するので、任意の遊技台機種のみの参照を選択により、別々ではなく、遊技台機種単独で参照することが可能となるうえ、遊技店内に配設する機種別の遊技台情報を統括的に管理することができるという効果を奏する。
【００２２】
請求項６に記載の発明によれば、遊技台メーカーが設定する遊技台の機種名称をメーカー機種名称登録手順により登録し、遊技台を導入する遊技店が設定する遊技台の機種名称を導入機種名称登録手順により登録し、メーカー機種名称登録手順により登録されるメーカー遊技台機種と、導入機種名称登録手順により登録される遊技台導入機種に関するそれぞれの特定情報を機種合計情報閲覧手順により遊技台の機種合計情報として閲覧するので、任意の遊技台機種のみの参照を選択により、別々ではなく、遊技台機種単独で参照することが可能となるうえ、遊技店内に配設する機種別の遊技台情報を統括的に管理することができるという効果を奏する。
【発明を実施するための最良の形態】
【００２３】
以下に、添付図面を参照して、この発明に係る遊技台機種管理システムの好適な実施例を詳細に説明する。なお、以下に示す実施例では、本発明に係る遊技台機種管理システムの概要および特徴を説明した後に、この遊技台機種管理システムの構成を詳細に説明し、次いで、遊技台機種管理システムによる機種登録に係わる制御手順（遊技台機種管理方法）を説明することとする。また、実施例としては、遊技媒体貸出システムをパチンコ遊技およびスロット遊技をおこなうパチンコホール（遊技場）に適用した場合を示すこととする。なお、以下に示す実施例によりこの発明が限定されるものではない。
【実施例】
【００２４】
（遊技台機種管理システムの概要および特徴）
まず最初に、本実施例に係る遊技台機種管理システムの概要および特徴を説明する。図１は、本実施例に係る遊技台機種管理装置１４０（図２）を含んだ遊技台機種管理システムの構成を示すシステム構成図である。
【００２５】
同図に示すように、この遊技台機種管理システムは、遊技店（ホール）の事務所に備えたターミナルコントローラ（Ｔ／Ｃ）１００を中心として、このターミナルコントローラ１００と島コントローラ５１、５２、５３とに通信接続される複数の遊技台２１〜２６、３１〜３６、４１〜４６と各種の端末機（図示せず）とを通信回線を接続して構成されている。島コントローラ５１、５２、５３は、それぞれの遊技台２１〜２６、３１〜３６、４１〜４６による大当たり回数などの特定情報を取得し、収集することができる。
【００２６】
ターミナルコントローラ１００は、管理サーバ１１０と分析クライアント装置１２０とを備えており、管理サーバ１１０により複数の遊技台２１〜２６、３１〜３６、４１〜４６（および各端末機）に関する特定情報を取得（収集）し、分析クライアント装置１２０に備えた遊技台機種管理装置１４０（図２）により、複数の遊技台に係る機種登録をおこなうようにしている。
【００２７】
この主たる特徴を具体的に説明すると、分析クライアント装置１２０は、遊技台機種管理装置１４０（図２）を備えており、この遊技台機種管理装置１４０は、パチンコメーカー側から発表された遊技台の機種名（メーカー機種名）と、遊技店独自で特定の機種名称として設定する（遊技店内に設置する）遊技台の機種名（導入機種名）との両者を登録可能としたことにある。すなわち、遊技台機種管理装置１４０は、メーカー側から発表された遊技台の機種名（メーカー機種名）を設定登録するメーカー機種設定登録部１４１（図３）と、遊技店内に設置する遊技台機種を遊技店独自で特定の機種名称として、設定登録する導入機種設定登録部１４２（図３）とを備えている。すなわち、これによって、遊技台機種を別々ではなく任意に選択して機種別情報（遊技台による特定情報）を容易に参照することができる。
【００２８】
具体的に説明すると、分析クライアント装置１２０に備えた遊技台機種管理装置１４０では、遊技台機種登録画面１６０（図５）により、どのメーカーの遊技台機種を、どのような機種名（導入機種名）でホール内に設置するかを設定登録する機能を備えており、これによって、複数の遊技台機種に関する特定情報の参照に基づいて、機種合計情報の参照時には、両者（メーカー機種名および導入機種名）の機種を選択可能に参照することにより、任意の機種のみを選択により参照することができ、これによって、遊技店全体の機種管理を効率良く管理することができる。
【００２９】
（遊技台機種管理システムの構成）
次に、本実施例に係る遊技台機種管理システムの構成を詳細に説明する。図１は、本発明の実施例における遊技台機種管理システムを示すシステム構成図である。同図に示すように、本実施例の遊技台機種管理システムでは、遊技店内（ホール）において、それぞれ「島」と呼ばれるグループごとに複数の遊技台２１〜２６、３２〜３６、４１〜４６が配設されるとともに、各「島」内の管理をおこなう島コントローラ５１、５２、５３と、これら島コントローラ５１、５２、５３から各種の情報が送信されるターミナルコントローラ１００とにより構成されている。
【００３０】
島コントローラ５１、５２、５３は、複数の遊技台２１〜２６、３２〜３６、４１〜４６（および端末機）から送信される特定情報を取得して収集し、これら収集した特定情報をターミナルコントローラ１００に送信する機能を備えている。
【００３１】
具体的に説明すると、島コントローラ５１は、遊技台２１〜２６による特定情報を、島コントローラ５２は、遊技台３１〜３６による特定情報を、島コントローラ５３は、遊技台４１〜４６による特定情報をそれぞれと取得し、収集する機能を備えている。ここで、遊技台２１〜２６は、機種Ａ（例えば、○○物語など）が、遊技台３１〜３６、４１〜４６は機種Ｂ（例えば、△△物語など）がそれぞれ設定登録されている。
【００３２】
また、遊技台２１〜２６、３１〜３６、４１〜４６には隣接してカード処理ユニットが設けられている。このカード処理ユニットは、遊技店に設置された複数のパチンコ機２０のそれぞれに対して１台ずつペアとなるように用意され、パチンコ機２０の相互間に挟まれる形で設置してあり、会員カードや一般カードに関連づけられた残存する度数を上限とするパチンコ玉の貸し出し処理、並びに会員カードおよび一般カードに関連付けられたそれぞれの度数に対する加算処理をおこなう機能を備えている。
【００３３】
ターミナルコントローラ１０は、遊技店の事務所内に少なくとも１台設置してあり、遊技店内全体を管理するコンピュータとして動作し、パチンコ玉の貸し出しに関わる統括管理、例えばカード管理、会員の管理、売上管理等をおこなうとともに、会員カードおよび一般カード個々の残度数に関する情報を記憶／管理する機能を備えている。そして、本実施例では、分析クライアント装置１２０に備えた遊技台機種管理装置１４０による遊技台機種管理機能により、この遊技台機種管理装置１４０によって設定登録されたメーカー機種および遊技店独自で設定した遊技台機種を機種設定登録データとして、管理サーバ１１０に登録する機能を備えている。
【００３４】
以下、図２を参照して、ターミナルコントローラ１００の構成および機能の詳細を説明する。図２は、ターミナルコントローラ１００の内部構成を示す機能ブロック図である。図２に示すように、ターミナルコントローラ１００は、管理サーバ１１０と分析クライアント装置１２０とにより構成されている。管理サーバ１１０は、島コントローラ５１、５２、５３から送信される複数の遊技台２１〜２６、３１〜３６、４１〜４６（および各端末機）に関する特定情報を定期的に取得し、収集する機能を備えている。
【００３５】
ここで、遊技台２１〜２６、３１〜３６、４１〜４６に関する特定情報とは、個別の遊技台による詳細な情報であり、アウト平均、セーフ平均、カード売上、出玉平均、始動数、特賞回数、出玉率、再プレイ売上、出玉平均、特賞出玉、始動数平均などの各情報を示している。
【００３６】
また、管理サーバ１１０は、分析クライアント装置１２０によって設定される複数の遊技台の機種設定内容（機種名称）を記憶し、保持する機能を備えている。このため、図２に示すように、管理サーバ１１は、特定情報取得部１１４と、特定情報収集部１１５と、遊技台情報記憶部１１６と、機種設定データ記憶部１１７と、機種データ作成部１１８とを備えている。１２３は、通信Ｉ／Ｆで、この通信Ｉ／Ｆ１２３は、分析クライアント装置１２０の通信Ｉ／Ｆ１３５との間で、情報の送受信をおこなうインターフェースとしての通信機能を備えている。
【００３７】
特定情報取得部１１４は、島コントローラ５１、５２、５３から送信される複数の遊技台２１〜２６、３１〜３６、４１〜４６による特定情報を取得する機能を備えている。特定情報収集部１１５は、特定情報取得部１１４により取得した複数の遊技台２１〜２６、３１〜３６、４１〜４６による特定情報を収集する機能を備えている。
【００３８】
遊技台情報記憶部１１６は、特定情報収集部１１５により収集された遊技台２１〜２６、３１〜３６、４１〜４６の特定情報を記憶する機能を備えている。機種設定データ記憶部１１７は、遊技台機種管理装置１４０により登録された遊技台の機種設定内容を一時的に記憶する機能を備えている。機種データ作成部１１８は、機種設定データ記憶部１１７に記憶された遊技台の機種設定内容に基づいて、機種データを作成する機能を備えている。この機種データ作成部１１８により作成された機種データは、機種合計情報として機種合計情報一覧として表示することができる。機種合計情報一覧は、メーカー機種名或いは導入機種名或いは遊技台機種単位で選択して参照をおこなうことができる。
【００３９】
次に、分析クライアント装置１２０の構成および詳細を説明する。分析クライアント装置１２０は、遊技台機種管理装置１４０による機種設定登録機能により、設定登録された機種を機種設定登録データとして、管理サーバ１１０に登録する機能および機種別に特定情報の合計として機種合計閲覧画面２００（図６）に閲覧する機能を備えている。
【００４０】
すなわち、図２に示すように、分析クライアント装置１２０は、主制御部１３０と、モニタ１３１と、入力部１３２と、外部記憶部１３３（ハードディスク）と、出力部１３４と、遊技台機種管理装置１４０とを備えている。１５０は、メーカー機種登録情報データベースを、１５１は、導入機種登録情報データベースをそれぞれ示している。１３５は、通信Ｉ／Ｆ部で、この通信Ｉ／Ｆ部１３５は、管理サーバ１１０側の通信Ｉ／Ｆ１２３とで、情報の送受信をおこなうインターフェースとしての通信機能を備えている。遊技台機種管理装置１４０により登録設定された機種データは、通信Ｉ／Ｆ１３５から管理サーバ１１０側の通信Ｉ／Ｆ１２３を通じて、機種設定データ記憶部１１７に格納される。
【００４１】
モニタ１３１は、ＣＲＴや液晶ディスプレイからなり、操作ガイダンスや必要な情報を表示する機能を備えている。本例では、このモニタ１３１には、メーカー機種或は導入機種を登録するための遊技台機種登録画面１６０（図５）が表示される。
【００４２】
表示制御手段１３１ａは、管理サーバ１１０により取得された複数の遊技台による特定情報を機種別情報としてモニタ１３１に表示する表示制御機能を備えている。
【００４３】
入力部１３２は、各種の情報を入力するキーボード、マウス及びトラックボールなどの指示入力手段（入力用デバイス）であり、主に、遊技店のオーナーまたは経営者などの遊技店の経営に携わる者からの操作により管理をおこなう手段として使用される。
【００４４】
出力部１３４はプリンタなどの印刷手段であり、本例では、モニタ１３１に表示される遊技台機種合計画面２００（図６）や各種の管理情報などを印字（プリント）する機能を備えている。
【００４５】
外部記憶部（ハードディスク）１３３には、本発明による遊技台機種管理装置１４０を起動するための遊技台機種管理プログラムおよび機種合計を起動するための機種合計情報管理起動プログラムなどが格納されており、これらの起動プログラムは、後述する管理画面設定メニュー１５５（図４）により設定し、起動を開始させることができる。
【００４６】
次に、遊技台機種管理装置１４０の構成および機能の詳細を説明する。図３は、遊技台機種管理装置１４０の内部構成である機能ブロック図を示している。具体的に説明すると、遊技台機種管理装置１４０では、遊技台機種登録画面１６０において、遊技店において、どのメーカーの遊技台機種を、どのような機種名（導入機種名）でホール内に設置するかを設定登録する機能を備えている。
【００４７】
すなわち、同図に示すように、遊技台機種管理装置１４０は、メーカー機種設定登録部１４１と、導入機種設定登録部１４２と、対象機種データ抽出部１４３と、遊技台機種別合計情報閲覧部１４４と、遊技台機種情報参照部１４５と、メーカー機種登録情報データベース１５０と、導入機種登録情報データベース１５１とを備えている。
【００４８】
メーカー機種登録情報データベース１５０（メーカーマスターテーブル）は、メーカー機種設定登録部１４１で登録した機種データを記憶し、格納する機能を備えている。導入機種登録情報データベース１５１（導入機種マスターテーブル）は、遊技店側で登録した機種データを記憶し、格納する機能を備えている。
【００４９】
メーカー機種設定登録部１４１は、メーカー側から発表された遊技台の機種名（メーカー機種名）を設定登録する機能を備えている。このメーカー機種設定登録部１４１により設定登録された機種データは、メーカー機種登録情報データベース１５０に格納される。導入機種設定登録部１４２は、ホール内に設置する遊技台機種を遊技店独自で特定の機種名称として、設定登録する機能を備えている。
【００５０】
この導入機種設定登録部１４２により設定登録された機種データは、導入機種登録情報データベース１５１に格納される。対象機種データ抽出部１４３は、機種設定データ作成部１１８により作成された機種データを任意に抽出する機能を備えている。
【００５１】
遊技台機種別情報閲覧部１４４は、複数の機種情報を合計し閲覧する機能を備えている。この遊技台機種別情報閲覧部１４４により合計された複数の機種情報は、機種合計情報閲覧画面２００（図６）に閲覧することができる。遊技台機種情報参照部１４５は、遊技台機種別情報閲覧部１４４により閲覧される機種合計情報一覧から任意に必要な機種情報を参照する機能を備えている。
【００５２】
次に、図４および図５を参照して、遊技台機種管理装置１４０の起動により、分析クライアント装置１２０のモニタ１３１に表示される遊技台機種登録画面１６０（図５）について説明する。
【００５３】
図４は、分析クライアント装置１２０の電源ＯＮ時に、モニタ１３１に表示される管理メニュー設定画面１５５の画面例を示している。同図に示すように、表示モニタ１３１には、管理メニュー設定画面１５５として各管理項目（「遊技台機種管理」、「売上管理」、「会員管理」、「景品管理」・・・など）を選択する複数の設定メニューが表示される。本例では、この管理メニュー設定画面１５５の設定項目の中から「遊技台機種情報管理」を選択することにより、分析クライアント装置１２０のモニタ１３１上に遊技台機種登録画面１６０（図５）を表示させることができる。
【００５４】
具体的には、管理メニュー設定画面１５５に表示されている「遊技台機種情報管理」のアイコンをマウス（入力部１３２）により指定し、クリックすることにより、遊技台機種管理装置１４０による遊技台機種管理プログラムが起動するため、モニタ１３１に遊技台機種登録画面１６０（図５）が表示されるものとなる。
【００５５】
図５は、分析クライアント装置１２０のモニタ１３１（図２）に表示される遊技台機種登録画面１６０の一例を示している。図５に示すように、遊技台機種登録画面１６０は、上下の２つの画面に分割されており、メーカー機種設定登録画面１７０（特許請求の範囲の「メーカー機種名称登録手段」）と導入機種設定登録画面１８０（特許請求の範囲の「導入機種名称登録手段」）とにより構成されている。この遊技台機種登録画面１６０を構成するメーカー機種設定登録画面１７０と導入機種設定登録画面１８０とによりメーカーにより発表されているメーカー機種と遊技店で実際に設置する導入機種を登録することができる。
【００５６】
すなわち、同図に示すように、メーカー機種設定登録画面１７０は、機種ＩＤフィールド１７１、メーカーによって設定される機種名が表示されるメーカー機種名フィールド１７２、パチンコ遊技かスロット遊技か或いはその他の遊技であるか等を設定する遊技種別フィールド１７３、ＣＲ機か現金機かの種別を表示する種別フィールド１７４、グループ別フィールド１７５とを備えている。この図５の例では、機種ＩＤ「００００１」と機種ＩＤ「００００２」によるパチンコ機（ＣＲ機）が「○○物語」および「△△物語」として、メーカーから発表された機種名称として登録されていることを表している。
【００５７】
ここで、遊技台の機種登録として、メーカーによる機種名をそのまま使用する場合には、このメーカー機種設定登録画面１７０に登録されている機種名のままで良いが、このメーカー機種を分割して使用する場合には、遊技台機種登録画面１６０の下段に表示されている導入機種設定登録画面１８０により新たに登録をおこなう。
【００５８】
次に、導入機種設定登録画面１８０の詳細について説明する。この導入機種設定登録画面１８０は、前述したように、遊技台機種登録画面１６０の上段に表示されたメーカー機種を分割して、ホール内で利用する場合に設定登録する画面である。すなわち、図５に示す導入機種設定登録画面１８０は、機種ＩＤフィールド１８１、連番フィールド１８２、メーカーによって設定される機種名が表示されるメーカー機種名フィールド１８３、遊技店によって設定される機種が表示される機種名設定フィールド１８４（機種名２）、種別フィールド１８５、台数フィールド１８６とを備えている。そして、この図５の例では、遊技台の機種名称である△△物語をホール内のフロア１〜フロア３に分割して導入し、機種名設定フィールド１８４（機種２）を登録した例を示している（１フロアに導入する△△物語を１フロアとして登録）。
【００５９】
次に、機種合計情報閲覧画面２００について説明する。図６は、機種合計情報画面２００を示している。機種合計情報閲覧画面２００の主な構成要素は、機種合計情報の適用期間を設定する期間設定欄２１０、機種設定ボタン２２０、機種名称が表示される機種名表示フィールド２３０、ホール内の設置台数が表示される設置台数表示フィールド２４０、特定情報が表示される特定情報表示フィールド２５０、印刷ボタン２６０、保存ボタン２７０、終了ボタン２８０とにより構成されている。印刷ボタン２６０は、機種合計情報閲覧画面２００を印刷するボタンである。
【００６０】
また、保存ボタン２７０は、機種合計情報閲覧画面２００によるデータを保存するボタンである。この機種合計情報閲覧画面２００は、終了ボタン２８０の押下（ＯＮ）により終了することができる。
【００６１】
機種設定ボタン２２０は、メーカー機種或は導入機種のいずれかを選択するときに設定するボタンであり、この機種設定ボタン２２０の押下（ＯＮ）によりモニタ１３１上に機種選択ウィンドウ３００を表示させることができる。
【００６２】
図７は、図６に示した機種合計情報閲覧画面２００における機種設定ボタン２２０の押下（ＯＮ）により表示される機種選択ウィンドウ３００を示している。すなわち、機種選択ウィンドウ３００は、機種分類設定欄３１０、機種名フィールド３２０、開始台番号欄３３０、全選択ボタン３４０、全解除ボタン３５０、パチンコ全選択ボタン３６０、スロット全選択ボタン３７０、ＯＫボタン３８０、キャンセルボタン３９０とを備えている。そして、この機種分類設定欄３１０により、遊技台の機種分類をメーカー機種名とするか、導入機種名とするかを選択して設定することができる。
【００６３】
この図７の例では、機種分類を「導入機種名」に設定した例を示しており、機種名フィールド３２０に図６の導入機種登録画面１８０で設定した導入機種単位の遊技台（機種名称）が表示されている。そして、この機種分類を導入機種名に設定することにより、遊技店のホールに導入する複数の遊技台機種毎の機種データを参照することができる。
【００６４】
すなわち、図７の機種選択ウィンドウ３００の機種分類設定欄３１０において、機種分類で導入機種を選択すると、画面上には、前記図６の機種名設定フィールド１８４で設定登録した機種名２（ＣＲ機の△△物語−１フロア、２フロア、３フロアの３種類）を表示させることができる。次に、任意の機種を選択してＯＫボタン３８０をクリックすると、図６による機種合計情報閲覧画面２００に表示される機種名は、選択された機種による特定情報が表示されるものとなる。
【００６５】
ここで、図７に示す機種選択ウィンドウ３００の例によると、登録されている遊技台は、ＣＲ機の○○物語が１台、ＣＲ機の△△物語が３台の合計４種類であるが、全選択ボタン３４０の押下（ＯＮ）により、登録した遊技台を全部選択することができる。また、パチンコ全選択ボタン３６０の押下（ＯＮ）により、パチンコ台のみを選択することができる。また、スロット全選択ボタン３７０の押下（ＯＮ）により、スロット台のみを選択することができる。また、全解除ボタン３５０の押下（ＯＮ）により、選択された設定を全部解除することができる。
【００６６】
一方、図８は、機種選択ウィンドウ３００の機種分類設定欄３１０において、機種分類を「メーカー機種」として選択された画面例を示している。すなわち、機種分類設定欄３１０でメーカー機種が選択された場合には、前記図６の機種名設定フィールド１８４で設定登録した機種名２は、非表示となり、図８に示すように、メーカー機種のみの表示がおこなわれる。具体的には、ＣＲ機の△△物語−１フロア、△△物語−２フロア、△△物語−３フロアをメーカー機種として統合して、ＣＲ機の△△物語が１種類として表示される。次いで、図７と同様に、任意の機種を選択してＯＫボタン３８０をクリックすると、機種合計情報閲覧画面２００（図６）による機種に該当する、選択された機種による特定情報が表示されるものとなる。以上説明したように、図７および図８の設定登録および参照により、実際に表示される機種合計情報画面２００は、図９に示すものとなる。
【００６７】
（遊技台機種管理システムの基本制御手順）
次に、本発明の遊技台機種管理システムにおける基本制御手順を説明する。図１０は、本発明に係る遊技台機種管理方法の基本制御手順を説明するフローチャートである。すなわち、本発明に係る遊技台機種管理方法は、大別して（１）メーカー機種設定登録工程（ＳＡ１１０）と、（２）導入機種設定登録工程（ＳＡ１２０）と、（３）設定登録機種データ通知工程（ＳＡ１３０）と、（４）機種データ蓄積工程（ＳＡ１４０）と、（５）機種データ作成工程（ＳＡ１５０）と、（６）機種合計情報閲覧工程（ＳＡ１６０）と、（７）遊技台情報参照工程（ＳＡ１７０）とから構成されている。
【００６８】
（１）メーカー機種設定登録工程は、分析クライアント装置１２０に備えた遊技台機種管理装置１４０のメーカー機種設定登録部１４１によりホール内で使用する機種名称を、メーカーから発表された遊技台の機種名称をそのまま設定登録する処理手順である。
（２）導入機種設定登録工程は、分析クライアント装置１２０に備えた遊技台機種管理装置１４０の導入機種設定登録部１４２によりホール内で使用する機種名称を、遊技店独自で設定した遊技台の機種名称を設定登録する処理手順である。
（３）設定登録機種データ通知工程は、メーカー機種設定登録工程或は、導入機種設定登録工程により設定登録された遊技台の機種名称を管理サーバ１１０側に送信する処理手順である。
（４）機種データ蓄積工程は、分析クライアント装置１２０の遊技台機種管理装置１４０から送信された遊技台の機種名称を記憶し、機種データの蓄積をおこなう処理手順である。
（５）機種データ作成工程は、機種データ蓄積工程により蓄積された機種名称に基づいて、機種データを作成する処理手順である。
（６）機種合計情報閲覧工程は、各遊技台の機種別に対応付けられた遊技台の特定情報を一覧として閲覧する処理手順である。
（７）遊技台情報参照工程は、機種合計情報閲覧工程により閲覧される機種合計情報一覧から、任意に必要な遊技台の機種情報を参照する処理手順である。
【００６９】
以下、図１１のフローチャートを参照して、本実施例における遊技台機種管理方法における全体制御処理手順（遊技台機種の登録／管理手順）を説明する。この図１１に示すフローチャートは、管理サーバ１１０と遊技台機種管理装置１４０との間でおこなわれる処理手順である。
【００７０】
（遊技台機種管理方法による遊技台機種の登録／管理手順）
以下、図１１を参照して、上述した遊技台機種管理システムにおける遊技台機種の管理手順について詳細に説明する。図１１は、分析クライアント装置１２０に備えた遊技台機種管理装置１４０による遊技台機種の管理手順の詳細を示すフローチャートである。本フローチャートでは、管理サーバ１１０と遊技台機種管理装置１４０との間でおこなわれる詳細な制御手順を示している。
【００７１】
先ず、遊技台機種管理装置１４０では、遊技店（ホール）にて使用する遊技台機種を設定する機種登録設定が有るか否かの判定をおこなう（ステップＳ１１０）。この機種登録設定が有るかの具体的な判定は、遊技台機種登録画面１６０（図５参照）が表示されたか否かに基づいておこなわれる。
【００７２】
そして、ステップＳ１１０による判定により、遊技台の機種登録設定が有る場合には（ステップＳ１１０肯定）、次いで、この機種登録設定がメーカー機種による登録設定か（ステップＳ１２０）、導入機種による登録設定（ステップ１３０）かの判定をおこなう。この各遊技台による機種の設定登録は、遊技台機種登録画面１６０（図５参照）によりおこなう。
【００７３】
すなわち、遊技台機種登録画面１６０（図５）により遊技台の機種を設定登録し（ステップＳ１４０）、このステップＳ１４０により設定登録した機種データを機種設定登録データとして、管理サーバ１１０に送信する（ステップＳ１５０）。具体的には、メーカー機種による登録設定が有る場合には（ステップＳ１２０肯定）、このメーカー機種により設定登録された機種データを機種登録データとして設定し（ステップＳ１４０）、管理サーバ１１０に送信する（ステップＳ１５０）。
【００７４】
また、メーカー機種による設定登録ではなく（ステップＳ１２０否定）、導入機種により機種データが設定登録された場合には（ステップＳ１３０）、導入機種設定登録による機種データを機種登録データとして設定し（ステップＳ１４０）、この設定登録された機種データを管理サーバ１１０に送信する（ステップＳ１５０）。
【００７５】
一方、管理サーバ１１０では、分析クライアント装置１２０（遊技台機種管理装置１４０）から送信された機種設定登録データを受信すると（ステップＳ１６０）、この機種設定登録データを機種設定データ記憶部１１７に格納する（ステップＳ１７０）。
【００７６】
次いで、管理サーバ１１０では、島コントローラ５１、５２、５３から送信される複数の遊技台２１〜２６、３１〜３６、４１〜４６に関する特定情報を特定情報取得部１１５（図２）により取得し（ステップＳ１８０）、これらの特定情報を特定情報収集部１１５（図２）により収集する（ステップＳ１９０）。
【００７７】
また、この特定情報収集部１１５により収集するされた特定情報は、遊技台情報記憶部１１６（図２）に記憶する（ステップＳ２００）。ここで、前述したように管理サーバ１１０により収集される特定情報は、複数の遊技台２１〜２６、３１〜３６、４１〜４６に関する大当たり回数などの情報を示している。次いで、予め機種設定データ記憶部１１７（図２）に格納した登録内容に基づいて、機種データの作成をおこなう（ステップＳ２１０）。
【００７８】
ここで、遊技台機種管理装置１４０において、機種参照情報の要求が有るか否かの判定により（ステップＳ２５０）、機種参照情報の要求が有る場合には（ステップＳ２５０肯定）、機種参照情報の抽出要求を管理サーバ１１０に送信する（ステップＳ２６０）。一方、管理サーバ１１０では、遊技台機種管理装置１４０から機種参照情報の要求信号を受信すると（ステップＳ２３０）、該当する機種合計情報を送信する（ステップＳ２８０）。
【００７９】
以下、遊技台機種管理装置１４０は、管理サーバ１１０から送信された機種合計情報を機種合計情報画面（図６）に機種合計情報一覧として表示する（ステップＳ２９０）。以下、機種合計情報画面２００により任意の機種データを参照することができる（ステップＳ３００）。この機種合計情報一覧では、メーカー機種名或いは導入機種名或いは遊技台機種単位で選択して参照をおこなうことができる。
【００８０】
以上説明したように、本発明の遊技台機種管理システムによれば、遊技台メーカーが設定する遊技台の機種名称をメーカー機種設定登録部１４１により登録し、遊技台を導入する遊技店が設定する遊技台の機種名称を導入機種設定登録部１４２により登録し、これらメーカー機種設定登録部１４１により登録されるメーカー遊技台機種と、導入機種設定登録部１４２により登録される遊技台導入機種に関するそれぞれの特定情報を遊技台機種別合計情報閲覧部１４４により遊技台の機種合計情報として閲覧するので、任意の遊技台機種のみの参照を選択により、容易且つ確実におこなうことが可能となるうえ、遊技店内に配設する機種別の遊技台情報を統括的に管理することができる。
【００８１】
なお、本実施例で説明した遊技台機種管理方法は、あらかじめ用意されたプログラムをパーソナルコンピュータやワークステーションなどのコンピュータ（ターミナルコントローラ１０やカード処理機３０に相当する装置）で実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００８２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８４】
以上のように、本発明に係る遊技台機種管理システム、遊技台機種管理方法および遊技台機種管理プログラムは、複数の遊技台の機種管理に有用であり、特に、統括的に効率良く機種管理をおこなうことのできる遊技台機種の管理システムに適している。
【図面の簡単な説明】
【００８５】
【図１】本発明の実施例に係る遊技台機種管理システムを示すシステム構成図である。
【図２】ターミナルコントローラの内部構成を示す機能ブロック図である。
【図３】遊技台機種管理装置の内部構成を示す機能ブロック図である。
【図４】管理メニュー設定画面の一例を示す図である。
【図５】遊技台機種管理画面の一例（遊技台機種登録画面）を示す図である。
【図６】機種合計情報管理画面の一例を示す図である。
【図７】導入遊技台機種選択画面の一例を示す図である。
【図８】メーカー遊技台機種選択画面の一例を示す図である。
【図９】機種合計情報管理画面に表示される機種データの具体例を示す図である。
【図１０】実施例に係る遊技台機種管理方法の基本処理手順を示すフローチャートである
【図１１】実施例に係る遊技台機種管理方法の全体処理手順を示すフローチャートである。
【符号の説明】
【００８６】
２１〜２６、３１〜３６、４１〜４６  遊技台
５１、５２、５３  島コントローラ
１００  ターミナルコントローラ
１１０  管理サーバ
１１４  特定情報取得部
１１５  特定情報収集部
１１６  遊技台情報記憶部
１１７  機種設定データ記憶部
１１８  機種データ作成部
１２０  分析クライアント装置
１２３、１３５  通信Ｉ／Ｆ
１３０  主制御部
１３１  モニタ
１３２  入力部
１３３  外部記憶装置
１３４  出力部
１４０  遊技台機種管理装置
１４１  メーカー機種設定登録部
１４２  導入機種設定登録部
１４３  対象機種データ抽出部
１４４  遊技台機種別合計情報閲覧部
１４５  遊技台機種情報参照部
１５０  メーカー機種登録情報データベース
１５１  導入機種登録情報データベース
１５５  管理メニュー設定画面
１６０  遊技台機種登録画面
１７０  導入機種設定登録画面
１７１、１８１  機種ＩＤフィールド
１７２、１８３  メーカー機種名フィールド
１７３  遊技種別フィールド
１７４、１８５  種別フィールド
１７５  グループ別フィールド
１８０  導入機種設定登録画面
１８４  機種名設定フィールド
１８６  台数フィールド
２００  機種合計情報閲覧画面
２１０  期間設定欄
２２０  機種設定ボタン
２３０  機種名表示フィールド
２４０  設置台数表示フィールド
２５０  特定情報表示フィールド
２６０  印刷ボタン
２７０  保存ボタン
２８０  終了ボタン
３００  機種選択ウィンドウ
３１０  機種分類設定欄
３２０  機種名フィールド
３３０  開始台番号欄
３４０  全選択ボタン
３５０  全解除ボタン
３６０  パチンコ全選択ボタン
３７０  スロット全選択ボタン
３８０  ＯＫボタン
３９０  キャンセルボタン
【図１】
2005198983.tif 000003
【図２】
2005198983.tif 000004
【図３】
2005198983.tif 000005
【図４】
2005198983.tif 000006
【図５】
2005198983.tif 000007
【図６】
2005198983.tif 000008
【図７】
2005198983.tif 000009
【図８】
2005198983.tif 000010
【図９】
2005198983.tif 000011
【図１０】
2005198983.tif 000012
【図１１】
2005198983.tif 000013